(57)【要約】【課題】表示画面を保護できると共に、表示画面が見づらくなる事態を回避できる作業機を提供する。【解決手段】表示画面３４と、表示画面３４を覆う透明のカバー３３と、を備え、カバー３３は、表示画面３４へ向かって凹入する凹部３３ａを有している。【選択図】図４
2019170210.tif 000002
【特許請求の範囲】
【請求項１】
表示画面と、
前記表示画面を覆う透明のカバーと、を備え、
前記カバーは、前記表示画面へ向かって凹入する凹部を有している作業機。
【請求項２】
前記表示画面に対して垂直な断面であって、前記表示画面の左右方向に沿う断面での断面視において、前記カバーは、前記表示画面へ向かって凹入する凹状の形状を有する請求項１に記載の作業機。
【請求項３】
前記表示画面に対して垂直な断面であって、前記表示画面の左右方向に沿う断面での断面視において、前記カバーにおける凹入の頂点は、前記カバーにおける左右方向での中央に位置している請求項２に記載の作業機。
【請求項４】
前記表示画面に対して垂直な断面であって、前記表示画面の左右方向に沿う断面での断面視において、前記カバーは、前記表示画面へ向かって凹入するなめらかな曲線状の形状を有する請求項２または３に記載の作業機。
【請求項５】
前記表示画面に対して垂直な断面であって、前記表示画面の上下方向に沿う断面での断面視において、前記カバーは、前記表示画面へ向かって凹入する凹状の形状を有する請求項１から４の何れか一項に記載の作業機。
【請求項６】
前記表示画面に対して垂直な断面であって、前記表示画面の上下方向に沿う断面での断面視において、前記カバーにおける凹入の頂点は、前記カバーにおける上下方向での中央に位置している請求項５に記載の作業機。
【請求項７】
前記表示画面に対して垂直な断面であって、前記表示画面の上下方向に沿う断面での断面視において、前記カバーは、前記表示画面へ向かって凹入するなめらかな曲線状の形状を有する請求項５または６に記載の作業機。
【発明の詳細な説明】
【技術分野】
【０００１】
本発明は、表示画面を備える作業機に関する。
【背景技術】
【０００２】
上記のような作業機として、例えば、特許文献１に記載の作業機が既に知られている。この作業機においては、表示画面（特許文献１では「液晶パネル」）が操縦ハンドルの前方に配置されている。
【先行技術文献】
【特許文献】
【０００３】
【特許文献１】特開２０１５−２１３５１７号公報
【発明の概要】
【発明が解決しようとする課題】
【０００４】
ここで、表示画面を保護するため、表示画面を覆う透明のカバーを設けることが考えられる。
【０００５】
しかしながら、日中に屋外で作業する場合、太陽光線がカバーの表面で反射し、作業者の目に入ることにより、表示画面が見づらくなる事態が想定される。
【０００６】
本発明の目的は、表示画面を保護できると共に、表示画面が見づらくなる事態を回避できる作業機を提供することである。
【課題を解決するための手段】
【０００７】
本発明の特徴は、表示画面と、前記表示画面を覆う透明のカバーと、を備え、前記カバーは、前記表示画面へ向かって凹入する凹部を有していることにある。
【０００８】
本発明であれば、カバーの凹部の表面で反射した太陽光線は、作業者の目に入りにくい。そのため、表示画面が見づらくなる事態を回避できる。
【０００９】
従って、本発明であれば、表示画面を保護できると共に、表示画面が見づらくなる事態を回避できる。
【００１０】
さらに、本発明において、前記表示画面に対して垂直な断面であって、前記表示画面の左右方向に沿う断面での断面視において、前記カバーは、前記表示画面へ向かって凹入する凹状の形状を有すると好適である。
【００１１】
この構成によれば、カバーは全体として凹状である。そのため、太陽光線が、カバーにおける何れの部分の表面で反射しても、反射後の太陽光線は、作業者の目に入りにくい。
【００１２】
また、表示画面に対して垂直な断面であって、表示画面の左右方向に沿う断面での断面視において、カバーが表示画面へ向かって凹入しているため、表示画面に対して右側または左側から太陽光線が照射されている場合には、特に、カバーの表面で反射した太陽光線が作業者の目に入りにくい。
【００１３】
従って、この構成によれば、表示画面が見づらくなる事態を、より確実に回避できる。
【００１４】
さらに、本発明において、前記表示画面に対して垂直な断面であって、前記表示画面の左右方向に沿う断面での断面視において、前記カバーにおける凹入の頂点は、前記カバーにおける左右方向での中央に位置していると好適である。
【００１５】
この構成によれば、カバーの左端から右端に亘り、何れの部分において太陽光線が反射しても、反射後の太陽光線が作業者の目に入りにくい構成を実現できる。
【００１６】
さらに、本発明において、前記表示画面に対して垂直な断面であって、前記表示画面の左右方向に沿う断面での断面視において、前記カバーは、前記表示画面へ向かって凹入するなめらかな曲線状の形状を有すると好適である。
【００１７】
カバーが段差状に凹入する形状である場合、表示画面のうち、カバーの段差状の部分に重複する部分の視認性が悪くなりがちである。
【００１８】
ここで、上記の構成によれば、カバーは、なめらかな曲線状の形状を有する。従って、表示部分の視認性が悪くなることを回避できる。
【００１９】
さらに、本発明において、前記表示画面に対して垂直な断面であって、前記表示画面の上下方向に沿う断面での断面視において、前記カバーは、前記表示画面へ向かって凹入する凹状の形状を有すると好適である。
【００２０】
この構成によれば、カバーは全体として凹状である。そのため、太陽光線が、カバーにおける何れの部分の表面で反射しても、反射後の太陽光線は、作業者の目に入りにくい。
【００２１】
また、表示画面に対して垂直な断面であって、表示画面の上下方向に沿う断面での断面視において、カバーが表示画面へ向かって凹入しているため、表示画面に対して上側または下側から太陽光線が照射されている場合には、特に、カバーの表面で反射した太陽光線が作業者の目に入りにくい。
【００２２】
従って、この構成によれば、表示画面が見づらくなる事態を、より確実に回避できる。
【００２３】
さらに、本発明において、前記表示画面に対して垂直な断面であって、前記表示画面の上下方向に沿う断面での断面視において、前記カバーにおける凹入の頂点は、前記カバーにおける上下方向での中央に位置していると好適である。
【００２４】
この構成によれば、カバーの上端から下端に亘り、何れの部分において太陽光線が反射しても、反射後の太陽光線が作業者の目に入りにくい構成を実現できる。
【００２５】
さらに、本発明において、前記表示画面に対して垂直な断面であって、前記表示画面の上下方向に沿う断面での断面視において、前記カバーは、前記表示画面へ向かって凹入するなめらかな曲線状の形状を有すると好適である。
【００２６】
カバーが段差状に凹入する形状である場合、表示画面のうち、カバーの段差状の部分に重複する部分の視認性が悪くなりがちである。
【００２７】
ここで、上記の構成によれば、カバーは、なめらかな曲線状の形状を有する。従って、表示部分の視認性が悪くなることを回避できる。
【図面の簡単な説明】
【００２８】
【図１】乗用型田植機の平面図である。
【図２】表示装置の斜視図である。
【図３】表示装置の平面図である。
【図４】図３のＩＶ−ＩＶ断面矢視図である。
【図５】図３のＶ−Ｖ断面矢視図である。
【図６】コントローラの平面図である。
【図７】設定スイッチの斜視図である。
【図８】設定スイッチの側面図である。
【発明を実施するための形態】
【００２９】
〔乗用型田植機の基本構成〕
本発明の実施の形態を図面に基づいて説明する。図１に示すように、乗用型田植機１００（本発明に係る「作業機」に相当）は、走行機体１及び苗植付装置２を備える。走行機体１は、表示装置３、コントローラ４、ハンドル部１４、運転座席１５、を有する。
【００３０】
苗植付装置２は苗植付部２１と施肥部２２とを有する。苗植付部２１と施肥部２２とは、それぞれ独立に作動または停止を制御することができる。また、苗植付装置２は複数条植え形式（たとえば８条植え）に構成されており、各条クラッチ（不図示）を操作することにより植え付け条数を変更することができる。すなわち、たとえば２条ごとに、苗植付作業を行うか否か、及び、施肥作業を行うか否か、を制御することができる。
【００３１】
ハンドル部１４は、ステアリング１４Ａ及びスポーク１４Ｃを具備する。ステアリング１４Ａは円形である。ステアリング１４Ａとステアリングポスト（不図示）の先端部分とは、スポーク１４Ｃによって連結されている。
【００３２】
作業者が運転座席１５に着座している場合、表示装置３、コントローラ４、ハンドル部１４は、作業者から見て前方に位置している。
【００３３】
〔表示装置の構成〕
図２から図５に示すように、表示装置３は、表側ケース３１、裏側ケース３２、表示画面３４を有している。また、表側ケース３１は、カバー３３を有している。
【００３４】
尚、図３及び図４に示す矢印Ｌの方向は、カバー３３及び表示画面３４の左方向であり、矢印Ｒの方向は、カバー３３及び表示画面３４の右方向である。また、図３及び図５に示す矢印Ｕの方向は、カバー３３及び表示画面３４の上方向であり、矢印Ｄの方向は、カバー３３及び表示画面３４の下方向である。以下の説明においては、特に断りがない限り、図３及び図４に示す矢印Ｌの方向を「左」、矢印Ｒの方向を「右」とする。また、図３及び図５に示す矢印Ｕの方向を「上」、矢印Ｄの方向を「下」とする。
【００３５】
表示画面３４は、株間距離、施肥量、時刻、燃料残量等の種々の情報を表示することができる。また、表示画面３４は、表側ケース３１及び裏側ケース３２に囲まれた空間に配置されている。
【００３６】
また、カバー３３は、凹部３３ａを有している。尚、本実施形態においては、カバー３３の全体が凹部３３ａである。しかしながら、本発明はこれに限定されず、カバー３３の一部が凹部３３ａであっても良い。
【００３７】
凹部３３ａは、表示画面３４へ向かって凹入している。そして、カバー３３は、表示画面３４を覆っている。
【００３８】
また、本実施形態において、カバー３３の全体は透明である。
【００３９】
尚、本発明に係る「カバー」は、全体が透明であることが必須ではない。カバー３３のうち、運転座席１５に着座した作業者から見て表示画面３４に重複する部分の全体または一部が透明であれば、本発明に係る「カバー」に相当する。
【００４０】
図４は、図３のＩＶ−ＩＶ断面矢視図である。この断面は、表示画面３４に対して垂直な断面であって、表示画面３４の左右方向に沿う断面である。
【００４１】
図４で示す断面視において、カバー３３は、表示画面３４へ向かって凹入する凹状の形状を有している。また、より具体的には、図４で示す断面視において、カバー３３は、表示画面３４へ向かって凹入するなめらかな曲線状の形状を有している。
【００４２】
ここで、図４における線Ｘは、カバー３３の左右方向での中央を示している。尚、カバー３３の左右方向は、表示画面３４の左右方向と同一である。
【００４３】
そして、図４で示す断面視において、カバー３３の中央部Ｐは、カバー３３の凹入の頂点に位置していると共に、線Ｘに重複している。即ち、図４で示す断面視において、カバー３３における凹入の頂点は、カバー３３における左右方向での中央に位置している。
【００４４】
図５は、図３のＶ−Ｖ断面矢視図である。この断面は、表示画面３４に対して垂直な断面であって、表示画面３４の上下方向に沿う断面である。
【００４５】
図５で示す断面視において、カバー３３は、表示画面３４へ向かって凹入する凹状の形状を有している。また、より具体的には、図５で示す断面視において、カバー３３は、表示画面３４へ向かって凹入するなめらかな曲線状の形状を有している。
【００４６】
ここで、図５における線Ｙは、カバー３３の上下方向での中央を示している。尚、カバー３３の上下方向は、表示画面３４の上下方向と同一である。
【００４７】
そして、図５で示す断面視において、カバー３３の中央部Ｐは、カバー３３の凹入の頂点に位置していると共に、線Ｙに重複している。即ち、図５で示す断面視において、カバー３３における凹入の頂点は、カバー３３における上下方向での中央に位置している。
【００４８】
〔コントローラの構成〕
図６に示すように、コントローラ４は、除草切替ボタン４１、殺虫殺菌切替ボタン４２、設定スイッチ５、戻るボタン４３、深さ調整第１ボタン４４、深さ調整第２ボタン４５、ロータ切替ボタン４６、自動植付切替ボタン４７、圃場表面硬さスイッチ４８、を有している。
【００４９】
除草切替ボタン４１が押下操作されると、除草剤散布装置（不図示）の運転または停止が切り替えられる。
【００５０】
殺虫殺菌切替ボタン４２が押下操作されると、殺虫殺菌剤散布装置（不図示）の運転または停止が切り替えられる。
【００５１】
設定スイッチ５は、設定スイッチ５の近傍に刻印された矢印の方向の回転操作入力を受け付けると共に、押下操作入力も受け付けるように構成されている。設定スイッチ５が回転操作されると、表示画面３４に表示される内容が切り替わる。また、設定スイッチ５が押下操作されると、表示画面３４における表示は、設定スイッチ５が押下操作された時点で表示されている内容に対応した機能の詳細設定ができる画面へ移行する。
【００５２】
戻るボタン４３が押下操作されると、表示画面３４に表示される内容が、設定スイッチ５が回転操作または押下操作される前の表示内容に戻る。
【００５３】
深さ調整第１ボタン４４が押下操作されると、苗植付装置２の有するロータ（不図示）の位置が浅くなる。また、深さ調整第２ボタン４５が押下操作されると、ロータの位置が深くなる。
【００５４】
ロータ切替ボタン４６が押下操作されると、ロータの運転または停止が切り替えられる。
【００５５】
自動植付切替ボタン４７が押下操作されると、自動植付開始機能の有効または無効が切り替えられる。
【００５６】
圃場表面硬さスイッチ４８が回転操作されると、圃場表面の硬さに応じた苗植付装置２の制御が微調整される。
【００５７】
〔設定スイッチの構成〕
図７及び図８に示すように、設定スイッチ５は、上面部６及び側面部７を有している。
【００５８】
尚、図８に示す矢印Ｕの方向は、設定スイッチ５の上方向であり、矢印Ｄの方向は、設定スイッチ５の下方向である。以下の説明においては、特に断りがない限り、図８に示す矢印Ｕの方向を「上」、矢印Ｄの方向を「下」とする。
【００５９】
上面部６には、上面凹部６１が形成されている。上面凹部６１は、下方へ凹入している。
【００６０】
この構成により、作業者は、上面凹部６１に指先をフィットさせやすい。そのため、設定スイッチ５を押下操作しやすい。また、上面凹部６１の形状から、設定スイッチ５が押下操作入力を受け付けることを、作業者が認識しやすい。
【００６１】
また、側面部７において、傾斜面７１及び複数の側面凸部７２が形成されている。
【００６２】
傾斜面７１は、側面部７における上部に形成されている。そして、図８に示すように、傾斜面７１は、側面視において下向きに広がっている。
【００６３】
この構成により、作業者は、傾斜面７１に対して、回転方向の操作力を加えることができると共に、押下方向の操作力を加えることができる。従って、作業者は、傾斜面７１を保持していれば、設定スイッチ５の回転操作及び押下操作を、設定スイッチ５の保持方法を変えることなく行うことができる。
【００６４】
また、複数の側面凸部７２は、側面部７において、傾斜面７１よりも下側の部分に形成されている。尚、各側面凸部７２においては、上下方向に延びる複数のリブ状の部材が、側面部７の周方向に並んでいる。
【００６５】
この構成により、側面凸部７２は、滑り止めとして機能する。これにより、作業者は、設定スイッチ５の側面部７における傾斜面７１よりも下側の部分を保持して、設定スイッチ５を確実に回転操作することができる。
【００６６】
尚、側面凸部７２の形成される個数は１個でも良い。また、１つまたは複数の側面凹部が形成されていても良い。
【００６７】
以上で説明した構成であれば、カバー３３の凹部３３ａの表面で反射した太陽光線は、作業者の目に入りにくい。そのため、表示画面３４が見づらくなる事態を回避できる。
【００６８】
従って、以上で説明した構成であれば、表示画面３４を保護できると共に、表示画面３４が見づらくなる事態を回避できる。
【００６９】
尚、以上に記載した実施形態は一例に過ぎないのであり、本発明はこれに限定されるものではなく、適宜変更が可能である。
【００７０】
〔その他の実施形態〕
（１）表示画面３４に対して垂直な断面であって、表示画面３４の上下方向に沿う断面での断面視において、カバー３３は、表示画面３４へ向かって凹入する段差状の形状を有していても良い。
【００７１】
（２）表示画面３４に対して垂直な断面であって、表示画面３４の上下方向に沿う断面での断面視において、カバー３３における凹入の頂点は、カバー３３における上下方向での中央よりも上側または下側に位置していても良い。
【００７２】
（３）表示画面３４に対して垂直な断面であって、表示画面３４の上下方向に沿う断面での断面視において、カバー３３は、表示画面３４へ向かって凹入する形状を有していなくても良い。例えば、その断面視において、カバー３３は、平坦な形状を有していても良い。
【００７３】
（４）表示画面３４に対して垂直な断面であって、表示画面３４の左右方向に沿う断面での断面視において、カバー３３は、表示画面３４へ向かって凹入する段差状の形状を有していても良い。
【００７４】
（５）表示画面３４に対して垂直な断面であって、表示画面３４の左右方向に沿う断面での断面視において、カバー３３における凹入の頂点は、カバー３３における左右方向での中央よりも左側または右側に位置していても良い。
【００７５】
（６）表示画面３４に対して垂直な断面であって、表示画面３４の左右方向に沿う断面での断面視において、カバー３３は、表示画面３４へ向かって凹入する形状を有していなくても良い。例えば、その断面視において、カバー３３は、平坦な形状を有していても良い。
【００７６】
（７）表示画面３４は、液晶ディスプレイであっても良いし、指針と目盛とを有する表示器であっても良い。
【産業上の利用可能性】
【００７７】
本発明は、乗用型田植機だけでなく、草刈機、トラクタ、コンバイン、ホイールローダ、フロントローダ、バックホー等にも利用可能である。
【符号の説明】
【００７８】
３３    カバー
３３ａ  凹部
３４    表示画面
１００  乗用型田植機（作業機）
【図１】
2019170210.tif 000003
【図２】
2019170210.tif 000004
【図３】
2019170210.tif 000005
【図４】
2019170210.tif 000006
【図５】
2019170210.tif 000007
【図６】
2019170210.tif 000008
【図７】
2019170210.tif 000009
【図８】
2019170210.tif 000010